(57)【要約】【課題】  簡単な操作により、停止位置を複数記憶可能なレジューム機能を備えた再生装置を提供する。【解決手段】  記録媒体２を再生する再生装置１において、映像再生中にマイコン１２が有する停止位置記憶手段１２ｃが操作手段１４によりその動作を指示された場合、停止位置記憶手段１２ｃにより、映像が停止する停止位置情報をメモリ１３が有する複数の停止位置を記憶可能な停止位置記憶領域１３ａに記憶されている停止位置から最古のものを消去し、当該消去した停止位置記憶領域１３ａの空き領域に停止位置を記憶することにより、複数の停止位置の記憶を簡単な操作により行うことができる。【選択図】      図１
2007087542.tif 000002
【特許請求の範囲】
【請求項１】
記憶媒体に記憶される映像の再生を開始する再生開始手段と、再生中の映像を停止する再生停止手段と、再生映像を停止した際の停止位置を所定数記憶可能な停止位置記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段に対応するキーによってユーザが操作を行うための操作手段を備える再生装置であって、前記停止位置記憶手段は、前記再生停止手段で記憶した過去の停止位置の履歴を記憶し、前記再生開始位置選択手段は、前記停止位置の履歴から再生開始位置を選択することを特徴とするレジューム機能を備えた再生装置。
【請求項２】
前記停止位置記憶手段は、再生映像が再生停止手段により停止された際の停止位置を、前記停止位置の履歴から最古のものを消去した後、新たに記憶することを特徴とする請求項１に記載のレジューム機能を備えた再生装置。
【請求項３】
前記再生開始位置選択手段は、前記操作手段によって所定時間内に行われる前記再生開始手段の操作により、ユーザが所望の停止位置を前記停止位置の履歴から選択し、該選択された停止位置から再生を開始することを特徴とする請求項１又は２に記載のレジューム機能を備えた再生装置。
【請求項４】
前記再生開始位置の選択方法は、前記操作手段が有する前記再生開始手段を作動するための再生キーを用いることを特徴とする請求項１から３の何れか１項に記載のレジューム機能を備えた再生装置。
【請求項５】
記憶媒体に記憶される映像の再生を開始する再生開始手段と、再生中の映像を停止する再生停止手段と、再生映像を停止した際の停止位置を所定数記憶可能な停止位置記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段のユーザによる操作を行うための操作手段を備える再生装置において、前記停止位置記憶手段は、再生中の映像を停止する際の前記操作手段による再生停止操作が連続してなされた回数と紐付けて記憶し、前記再生開始位置選択手段は、前記再生停止操作が連続してなされた回数と同数の再生開始操作を行うことで、ユーザが所望の停止位置を選択するよう構成したことを特徴とするレジューム機能を備えた再生装置。
【請求項６】
前記再生開始位置選択手段は、ユーザが前記操作手段により選択する際に、再生映像に重畳して再生開始位置情報を表示することを特徴とする請求項１〜５の何れか１項に記載のレジューム機能を備えた再生装置。
【発明の詳細な説明】
【技術分野】
【０００１】
本発明は、簡単な操作により停止位置の記憶及び該停止位置の呼び出しが行え、且つ複数の停止位置を記憶できるレジューム機能を備えた再生装置に関する。
【背景技術】
【０００２】
従来から、ディスクなどの記憶媒体の再生を行う再生装置において、停止位置を記憶し、次回再生の際に該停止位置からの再生を継続することができるレジューム機能に関する様々な方法が開示されている。
【０００３】
特許文献１では、ユーザ毎にパスワードを設定し、再生装置を利用する際にユーザ名とパスワードを入力することにより、ユーザを特定し、ユーザ毎に停止位置情報を記憶し、再生の際に該停止位置からの再生を可能とする方法が開示されている。
【０００４】
また特許文献２では、事前にユーザＩＤを登録し、再生前に登録ユーザＩＤの一覧から利用者個人を示すものを選択し、停止時に該ユーザＩＤごとに停止位置を記憶し、次回再生時に停止位置から再生を再開する方法が開示されている。
【０００５】
【特許文献１】特開２００５−１００６２３号公報
【特許文献２】特開２００５−２５８８３号公報
【発明の開示】
【発明が解決しようとする課題】
【０００６】
しかしながら、特許文献１及び２の方法では、ユーザ登録やパスワード登録などを行わなくてはならず、操作が煩雑になってしまうという欠点があった。
【０００７】
本発明は上記課題を鑑みてなされたものであり、操作が容易で、且つ複数の停止位置を記憶することが可能なレジューム機能を備えた再生装置を提供することを目的とする。
【課題を解決するための手段】
【０００８】
請求項１に係るレジューム機能を備えた再生装置、記憶媒体に記憶される映像の再生を開始する再生開始手段と、再生中の映像を停止する再生停止手段と、再生映像を停止した際の停止位置を所定数記憶可能な停止位置記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段に対応するキーによってユーザが操作を行うための操作手段を備える再生装置であって、前記停止位置記憶手段は、前記再生停止手段で記憶した過去の停止位置の履歴を記憶し、前記再生開始位置選択手段は、前記停止位置の履歴から再生開始位置を選択することを特徴とする。
【０００９】
請求項１の構成によれば、停止位置記憶手段により、再生映像の停止を行った際の場面を停止位置として複数記憶することができ、この記憶された複数の停止位置を再生開始位置選択手段により、利用者が任意に選択し、当該停止位置より再生の再開をすることができる。
【００１０】
請求項２に係るレジューム機能を備えた再生装置は、請求項１に記載のレジューム機能を備えた再生装置において、前記停止位置記憶手段は、再生映像が再生停止手段により停止された際の停止位置を、前記停止位置の履歴から最古のものを消去した後、新たに記憶することを特徴とする。
【００１１】
請求項２の構成によれば、通常有限である記憶領域において、記憶した日時が最も古いものから順に消去することにより、最新の停止位置情報を確実に記憶することができる。
【００１２】
請求項３に係るレジューム機能を備えた再生装置は、請求項１又は２に記載のレジューム機能を備えた再生装置において、前記再生開始位置選択手段は、前記操作手段によって所定時間内に行われる前記再生開始手段の操作により、ユーザが所望の停止位置を前記停止位置の履歴から選択し、該選択された停止位置から再生を開始することを特徴とする。
【００１３】
請求項３の構成によれば、操作手段により、所定時間内に、複数ある停止位置の履歴から所望の停止位置をユーザにより選択することができる。
【００１４】
請求項４に係るレジューム機能を備えた再生装置は、請求項１〜３の何れか１項に記載のレジューム機能を備えた再生装置において、前記再生開始位置の選択方法は、前記操作手段が有する前記再生開始手段を作動するための再生キーを用いることを特徴とする。
【００１５】
請求項４の構成によれば、再生開始位置の選択に、操作手段が有する映像の再生のために用いる再生キーを使用することで、操作手段に新たなキーを形成する必要としない。
【００１６】
請求項５に係るレジューム機能を備えた再生装置は、記憶媒体に記憶される映像の再生を開始する再生開始手段と、再生中の映像を停止する再生停止手段と、再生映像を停止した際の停止位置を所定数記憶可能な停止位置記憶手段と、前記停止位置を記憶するための情報記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段のユーザによる操作を行うための操作手段を備える再生装置において、前記停止位置記憶手段は、再生中の映像を停止する際の前記操作手段による再生停止操作が連続してなされた回数と紐付けて記憶し、前記再生開始位置選択手段は、前記再生停止操作が連続してなされた回数と同数の再生開始操作を行うことで、ユーザが所望の停止位置を選択するよう構成したことを特徴とする。
【００１７】
請求項５の構成によれば、例えば停止位置記憶手段に記憶できる停止位置が３つとすると、それぞれポイント１、ポイント２、ポイント３とすると、再生映像の停止の際に、操作手段の停止キーを連続して押した回数により、１回ならばポイント１に記憶し、２回ならばポイント２、３回ならばポイント３に記憶するといった、停止位置の記憶領域を明確に指定することができる。また、このようにして記憶した停止位置を、映像再生の際に読み込むときに、操作手段の再生キーを１回押すとポイント１、２回ならばポイント２、３回ならばポイント３に記憶された停止位置から再生の再開を行うといった、ユーザの所望の停止位置からの再開を容易に指定することができる。
【００１８】
請求項６に係るレジューム機能を備えた再生装置は、請求項１から４の何れか１項に記載のレジューム機能を備えた再生装置において、前記再生開始位置選択手段は、ユーザが前記操作手段により選択する際に、再生映像に重畳して再生開始位置情報を表示することを特徴とする。
【００１９】
請求項６の構成によれば、再生開始位置の選択時に、ユーザは画面に表示される再生開始位置情報を閲覧することができ、容易に所望の再生開始位置の選択を実行することができる。
【発明の効果】
【００２０】
請求項１に係るレジューム機能を備えた再生装置は、記憶媒体に記憶される映像の再生を開始する再生開始手段と、再生中の映像を停止する再生停止手段と、再生映像を停止した際の停止位置を所定数記憶可能な停止位置記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段に対応するキーによってユーザが操作を行うための操作手段を備える再生装置であって、前記停止位置記憶手段は、前記再生停止手段で記憶した過去の停止位置の履歴を記憶し、前記再生開始位置選択手段は、前記停止位置の履歴から再生開始位置を選択するので、再生映像の再生停止手段により停止した位置を、最新のものから所定数分の過去の停止位置までを履歴として停止位置記憶手段により記憶することができ、この停止位置の履歴から、ユーザが所望の停止位置を操作手段により選択し、当該停止位置からの再生の再開をすることができる。
【００２１】
請求項２に係るレジューム機能を備えた再生装置は、前記停止位置記憶手段は、再生映像が再生停止手段により停止された際の停止位置を、前記停止位置の履歴から最古のものを消去した後、新たに記憶するので、有限の記憶領域を持つ停止位置記憶手段への効率的な記憶を行うことができる。
【００２２】
請求項３に係るレジューム機能を備えた再生装置は、前記再生開始位置選択手段は、前記操作手段によって所定時間内に行われる前記再生開始手段の操作により、ユーザが所望の停止位置を前記停止位置の履歴から選択し、該選択された停止位置から再生を開始するので、専用の操作手段を設けることなく、停止位置の履歴からの所望の停止位置の選択を行うことを低コストで実現することができる。
【００２３】
請求項４に係るレジューム機能を備えた再生装置は、前記再生開始位置の選択方法は、前記操作手段が有する前記再生開始手段を作動するための再生キーを用いるので、映像を再生する際に押す再生キーにより、そのまま続けて再生キーを押すことで停止位置の履歴から所望の停止位置を選択できるので、直感的な操作が可能となる。
【００２４】
請求項５に係るレジューム機能を備えた再生装置は、記憶媒体に記憶される映像の再生を開始する再生開始手段と、再生中の映像を停止する再生停止手段と、再生映像を停止した際の停止位置を所定数記憶可能な停止位置記憶手段と、次回映像再生時に前記停止位置記憶手段により記憶された複数の停止位置からユーザにより選択された停止位置から映像再生を継続する再生開始位置選択手段と、前記複数の停止位置を記憶するための情報記憶手段と、前記再生開始手段や前記再生停止手段のユーザによる操作を行うための操作手段を備える再生装置において、前記停止位置記憶手段は、再生中の映像を停止する際の前記操作手段による再生停止操作が連続してなされた回数と紐付けて記憶し、前記再生開始位置選択手段は、前記再生停止操作が連続してなされた回数と同数の再生開始操作を行うことで、ユーザが所望の停止位置を選択するよう構成したので、再生停止手段を動作させる際に、操作手段の１つである停止キーを連続して押した回数を、停止位置記憶手段により停止位置と共に記憶し、その停止位置を呼び出すには、映像再生時に再生キーを、停止キーを連続して押した回数と同数押すことにより行うことで、ユーザが所望の停止位置を確実に呼び出し、該停止位置からの再生の継続を行うことができる。
【００２５】
請求項６に係るレジューム機能を備えた再生装置は、前記再生開始位置選択手段は、ユーザが前記操作手段により選択する際に、再生映像に重畳して再生開始位置情報を表示するので、ユーザが停止位置を選択する際に、所望の停止位置がどこに記憶されているかを容易に判別することができる。
【発明を実施するための最良の形態】
【００２６】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【実施例１】
【００２７】
図１〜図４は、本発明の実施例１を示し、図１は、本実施例における再生装置の構成を示すブロック図である。図２は、再生装置の動作を示すフローチャート図である。図３は、再生装置の停止位置の記憶数を設定する設定画面を示す説明図である。図４は、停止位置の切り替えの方法を示す説明図である。
【００２８】
本実施例における再生装置の構造について、図１に基づいて説明する。１は再生装置であり、光ディスクやハードディスクドライブなどの記憶媒体に記憶される映像の再生を行うものである。２は前述の記憶媒体である。１１は映像／音声処理手段であり、記憶媒体２に記憶される映像／音声データを映像／音声信号に変換を行う。１２はマイコンであり、記憶再生装置１の動作の制御を行う。マイコン１２は記憶媒体２に記憶された映像／音声の再生を開始させる再生開始手段１２ａ、再生中の映像／音声を停止させる再生停止手段１２ｂ、映像／音声を停止させた位置を後述のメモリへ記憶させる停止位置記憶手段１２ｃ、停止位置記憶手段１２ｃによりメモリに記憶される後述の停止位置情報から再生開始位置を選択し読み出す再生開始位置選択手段１２ｄ、映像に重畳させて情報を表示するためのＯＳＤ作成手段１２ｅを備える。１３は情報記憶手段であるメモリであり、停止位置記憶手段１２ｃにより記憶される複数の停止位置を格納する停止位置情報１３ａを有し、更にＯＳＤ作成手段１２ｄによりＯＳＤ表示として映像に重畳するためのＯＳＤデータ１３ｂを備える。１４は再生装置１をユーザが操作するための再生キーや停止キーを有する操作手段である。１５は、記憶媒体２に記憶された映像／音声の表示を行う表示部若しくは表示装置である。
【００２９】
次に、再生装置の動作について、図２に基づいて説明する。最初に映像の再生を行う（Ｓ１００１）。再生中に操作手段１４によるユーザの操作があるかを判定する（Ｓ１００２）。操作が無い場合は映像の再生を継続し（Ｓ１００３）、再生映像が終了したら動作を停止、終了しない場合はステップＳ１００１に戻り、映像の再生を継続する（Ｓ１００４）。ステップＳ１００２にて、ユーザの操作がある場合、操作されたキーが再生キーであるかを判別する（Ｓ１００５）。操作されたキーが再生キーの場合、時間計測を開始し（Ｓ１００６）、再生キーの操作により所望の停止位置の選択を行う（Ｓ１００７）。その後、所定時間が経過するまで停止位置の選択操作を受け付け（Ｓ１００８）、所定時間経過後、停止位置の履歴から選択した停止位置の情報を再生開始位置選択手段１２ｄにより取得し、当該停止位置から再生を再開する（Ｓ１００９）。この後、ステップＳ１００３に移り、引き続き再生動作を行う。ステップＳ１００５で、操作キーが再生キーではない場合、操作キーが停止キーであるかを判別する（Ｓ１０１０）。停止キーである場合、映像の再生を停止し、停止位置を検出する（Ｓ１０１１）。記憶手段であるメモリ１３に記憶された最古の停止位置情報１３ａを消去し、同じ領域に検出した停止位置情報を停止位置記憶手段１２ｃによりメモリ１３へ記憶する（Ｓ１０１２）。ステップＳ１０１０にて、操作キーが停止キーではない場合は、当該操作キーが担う再生装置の動作を行い、該動作終了後、再生を継続する（Ｓ１０１３）。
【００３０】
次に、停止位置の記憶数を設定する方法について、図３に基づいて説明する。３は停止位置の記憶数設定画面を示す。カーソルにより、１段階から５段階まで設定することができ、例えば３段階に設定した場合、停止位置を３箇所記憶することができる。これにより、例えば、再生装置１を使用するユーザの人数に応じた数の停止位置を記憶することができる。
【００３１】
次に、記憶された停止位置から所望の停止位置を選択する方法について、図４に基づいて説明する。前述の停止位置の記憶数設定により、記憶数を５に設定したものとする。４０は記憶媒体に記憶された映像の再生中の表示部の状態を示している。この状態で再生キーを１回押すと、４１に示すように停止位置Ａ１３ａに記憶された停止位置を選択した状態を示すＯＳＤ表示を行う。更に１回押すと、停止位置Ｂ１３ｂを選択した状態を示すＯＳＤ表示を行い、以降再生キーを押す度に、選択中の停止位置を示すＯＳＤ表示を行う。停止位置５Ｅを選択した状態で再生キーを押すと、停止位置選択を終了し、通常の再生に戻る。
【００３２】
以上のように構成された再生装置において、再生中の映像を停止した場合、過去の停止位置を複数記憶できるので、再生装置１の複数ユーザによる使用時においても、それぞれの停止位置を記憶することができる。また、停止位置の記憶方法も、単純に停止キーを押すだけであり、操作性も良い。また、所望の停止位置から再生を継続する場合でも、映像の再生中に更に再生キーを押すことにより選択するので、複雑な操作を必要とせず、利便性が向上する。
【実施例２】
【００３３】
図５は本発明の実施例２を示したフローチャート図であり、前記実施例１と同一部分には同一符号を付し、その詳細な説明を省略する。最初に映像の再生を行う（Ｓ２００１）。再生中に操作手段１４によるユーザの操作があるかを判定する（Ｓ２００２）。操作が無い場合は映像の再生を継続し（Ｓ２００３）、再生映像が終了したら動作を停止、終了しない場合はステップＳ２００１に戻り、映像の再生を継続する（Ｓ２００４）。ステップＳ２００２にて、ユーザの操作がある場合、操作されたキーが再生キーであるかを判別する（Ｓ２００５）。操作されたキーが再生キーの場合、再生キーが所定時間内に連続して操作された回数を検出し（Ｓ２００６）、検出した回数に基づいて、メモリ１３に記憶される停止位置情報１３ａから停止位置を再生開始位置選択手段１２ｄにより読み出し（Ｓ２００７）、読み出された停止位置からの映像の再生を行う（Ｓ２００８）。この後、ステップＳ２００３に移り、引き続き再生動作を行う。ステップＳ２００５で、操作キーが再生キーではない場合、操作キーが停止キーであるかを判別する（Ｓ２００９）。停止キーである場合、映像の再生を停止し、停止位置記憶手段１２ｃにより停止位置を検出すると共に停止キーが連続して操作された回数を検出する（Ｓ２０１０）。検出された回数に紐付くメモリ内部の停止位置情報１３に、同じく検出された停止位置を停止位置記憶手段１２ｃにより記憶する（Ｓ２０１１）。ステップＳ２００９にて、操作キーが停止キーではない場合は、当該操作キーが担う再生装置の動作を行い、該動作終了後、再生を継続する（Ｓ２０１２）。
【００３４】
以上のように構成された再生装置において、先の実施例１とは異なり、停止位置の記憶方法がやや複雑となるが、停止位置の記憶領域を明確に指定することができる。また、停止位置を記憶する記憶領域の指定方法及び所望の停止位置から再生を再開する方法が、それぞれ同数の停止キー若しくは再生キーの操作回数により紐付いているため、明確に所望の停止位置の記憶領域を指定して、記憶及び呼び出しをすることができる。
【００３５】
以上、本発明の実施例について詳述したが、本発明は前記実施例に限定されるものではなく、本発明の要旨の範囲内で種々の変形実施が可能である。例えば、複数の停止位置から所望の停止位置を選択する方法を、ＯＳＤ表示により一覧として停止位置を表示し、操作手段により所望の停止位置を選択するとしても何ら問題は無い。
【図面の簡単な説明】
【００３６】
【図１】本発明の実施例１における、再生装置の構成を示すブロック図である。
【図２】同上、再生装置の動作を示すフローチャート図である。
【図３】同上、停止位置の記憶数を設定する際の表示部の画面を示す説明図である。
【図４】同上、所望の停止位置を選択する際のＯＳＤ表示例を示す説明図である。
【図５】本発明の実施例２における、再生装置の動作を示すフローチャート図である。
【符号の説明】
【００３７】
１      再生装置
１２    マイコン
１２ａ  再生開始手段
１２ｂ  再生停止手段
１２ｃ  停止位置記憶手段
１２ｄ  再生開始位置選択手段
１２ｄ  ＯＳＤ作成手段
１３    メモリ（情報記憶手段）
１４    操作手段
２  記憶媒体
【図１】
2007087542.tif 000003
【図２】
2007087542.tif 000004
【図３】
2007087542.tif 000005
【図４】
2007087542.tif 000006
【図５】
2007087542.tif 000007